(57)【要約】【課題】多元媒体対応の日除けの提供。【解決手段】  建物の一部分に取り付けることができる基礎部分（１）と、その上に回転可能に取り付けられるテント幕シャフト（８）と、引込みおよび伸張可能であると共にテント幕シャフト（８）の上に巻き取ることおよびそれから解舒することが可能な日除けテント幕（７）と、ドライバ制御器（１０）と、それによって操作されかつ日除けの部品（６）に連結される少なくとも１つのサウンドアクチュエータ（１１、１２）とを有する音生成システム（９）であって、その少なくとも１つのサウンドアクチュエータ（１１、１２）は、日除けの部品（６）を、音響信号、特に音楽信号および／または音声信号を発するように、所定どおりに振動させる音生成システム（９）とを含む、日除け。【選択図】図１
2011256701.tif 000002
【特許請求の範囲】
【請求項１】
建物の一部分に取り付けることができる基礎部分（１）と、
基礎部分上に回転可能に取り付けられたテント幕シャフト（８）と、
引込みおよび伸張することが可能であると共に前記テント幕シャフト（８）の上に巻き取ることおよびそれから解舒することが可能な日除けテント幕（７）と、
を備えて構成される日除けにおいて、
ドライバ制御器（１０）と、それによって操作されかつ日除けの部品（６）に連結される少なくとも１つのサウンドアクチュエータ（１１、１２）とを有する音生成システム（９）であって、前記少なくとも１つのサウンドアクチュエータ（１１、１２）は、前記日除けの部品（６）を、音響信号、特に音楽信号および／または音声信号を発するように、所定どおりに振動させる音生成システム（９）、
を特徴とする日除け。
【請求項２】
１つ以上の日除けの部品（６）に作用するように、複数のサウンドアクチュエータ（１１、１２）が設けられることを特徴とする請求項１に記載の日除け。
【請求項３】
日除けハウジング（１）の形態の基礎部分、日除けテント幕（７）および／または日除けの降下部（６）がサウンドアクチュエータ（１１、１２）に連結されることを特徴とする請求項１または２に記載の日除け。
【請求項４】
前記ドライバ制御器（１０）に、ライン結線通信経路および／または無線通信経路（１６）によって、アナログおよび／またはデジタルの音響制御信号、特に音楽および／または発話の制御信号を供給できることを特徴とする請求項１〜３のいずれか一項に記載の日除け。
【請求項５】
複数のサウンドアクチュエータ（１１、１２）が、ステレオまたはサラウンドの音響信号を一緒に発するように、複数の日除けの部品（６、１３、１４）に連結されることを特徴とする請求項１〜４のいずれか一項に記載の日除け。
【請求項６】
日除けに画像投映表面（１９）が設けられることを特徴とする請求項１〜５のいずれか一項に記載の日除け。
【請求項７】
前記画像投映表面が、日除けの降下部（６）から垂れ下がるスクリーン要素（１９）によって形成されることを特徴とする請求項６に記載の日除け。
【請求項８】
前記スクリーン要素（１９）を、前記降下部（６）内の巻き取りシャフト（２０）によって引込んだり、伸張することが可能であることを特徴とする請求項７に記載の日除け。
【請求項９】
投映装置（２１）が日除けの中に組み込まれることを特徴とする請求項６〜８のいずれか一項に記載の日除け。
【請求項１０】
前記投映装置が、前記日除けハウジング（１）の中に組み込まれるプロジェクタ（２１）であることを特徴とする請求項９に記載の日除け。
【発明の詳細な説明】
【技術分野】
【０００１】
本発明は、建物の一部分に取り付けることができる基礎部分と、その上において好ましくはモータによって回転駆動可能なテント幕シャフトと、引込みおよび伸張可能であると共にテント幕シャフトの上に巻き取ることおよびそれから解舒することが可能な日除けテント幕とを備えた日除け（オーニング）に関する。この場合、基礎部分というのは、日除け、例えば、関節アーム式日除け、温室用日除けまたはウィンドウ日除けのような日除けを、例えば外壁、温室または窓枠のような建物の一部分に固定できる任意の構成要素を意味すると解釈する。通常、このタイプの基礎部分は、その構造の形式に応じて、日除けハウジング、固定ブラケット、保持用フレームなどである。
【背景技術】
【０００２】
本発明の背景に関して、日除けは、テラスおよびバルコニーのような、主として回復と寛ぎの場所において用いられるものであるという点に注目するべきである。この点で、日除けは、極力、多元媒体（マルチメディア）対応のものであることが望ましい状況が増大している。このため、日除けの例えば降下部（drop out profile）の領域に、日除けの下の空間部分に音を提供するスピーカを装備することがすでに知られている。別の形態は、例えば、スピーカボックスをブラケットによって日除けハウジングに取り付ける方式を用意している。
【０００３】
これらの既知の解決策の欠点は、満足し得る音質と、開放空間に音を供給するのに十分な音量とを得るためには相対的に高価なスピーカシステムを使用しなければならないという事実である。この事実は、一般的に、日除けの部品に組み込む、あるいは日除けに装着するという可能性を阻むものである。
【発明の概要】
【発明が解決しようとする課題】
【０００４】
上記の先行技術の問題点を出発点として、本発明は、できる限り最適に多元媒体対象を実現するように日除けを改善するという目的に基づいている。
【課題を解決するための手段】
【０００５】
この目的は、請求項１の特徴部分に従って、ドライバ制御器と、それによって操作されかつ日除けの部品に連結される少なくとも１つのサウンドアクチュエータとを有する音生成システムを備えることによって実現される。この少なくとも１つのサウンドアクチュエータは、日除けの部品を、音響信号、特に音楽信号および／または音声信号を発するように、所定どおりに振動させる。
【０００６】
従って、先行技術から知られるスピーカとは異なって、例えば降下部の表面、日除けテント幕そのもの、あるいは日除けハウジングの壁面のような日除けの部品を、直接、音の生成要素として用いることになる。すなわち、サウンドアクチュエータによって、このような部品を相応に振動させるのである。この技術的な方法を実施するに当たっては、例えば、Ｂｏｓｅ（登録商標）社の「アコースティックウェイブガイド技術（Acoustic Waveguide Technology）」または「ＡＤＡＰＴｉＱ（登録商標）」オーディオキャリブレーションシステム（audio calibration system）から利用可能な、適応オーディオシステム（adaptive audio system）に関する広範な経験を利用することが可能である。
【０００７】
音質および音量に関する要求に応じて、１つ以上の日除けの部品に作用する複数のサウンドアクチュエータを設けることができる。
【０００８】
さらに、本発明に従って設けられるドライバ制御器は、サウンドアクチュエータを作動させるために設けられる音生成システムの中核部分を意味すると解釈するべきである。この中核部分は、従来型のオーディオシステムに従って、パワーアンプを作動させるアナログまたはデジタルの音響制御信号を生成するための少なくとも１つの信号生成要素を有する。これは、続いて、サウンドアクチュエータに実際の音楽または発話の制御信号を供給して、当該日除けの部品を所定どおりに振動させる。ドライバ制御器への対応する音響制御信号の供給は、例えばライン結線のようなすべての既知の手段によって、ブルートゥース（Bluetooth）のような近距離無線仕様の無線ＬＡＮによって、あるいはその他に、例えばＵＳＢポートのようなインターフェースを介したメモリモジュールへのドッキングによって行うことができる。現在一般的に行われている、例えばＭＰ３プレイヤー、ｉＰｏｄ（登録商標）またはｉＰｈｏｎｅ（登録商標）はＵＳＢポートを介して接続可能である。
【０００９】
ステレオまたはＤｏｌｂｙ（登録商標）サラウンド音のような高品質の音のパターンは、複数の日除け部品に所定どおりに連結された複数のサウンドアクチュエータを好適に用いることによって作り出すことができる。
【００１０】
日除けの汎用的な多元媒体用途に対しては、本発明の発展形態に従って、日除けに画像投映表面を設けることができる。この画像投映表面は、降下部から垂れ下がるスクリーン要素とすることが望ましい。本願の出願人が「Schatten Plus」の商品名で特殊器具として提供している付加式の下げ幕を、基本的にこの用途に使用できる。この下げ幕は、降下部内の付加的な巻き取りシャフトによって引込みかつ伸張することが可能である。この付加式の下げ幕は、スクリーン要素として、少なくともその内側に、均質な光反射被膜または材料層のみは含まなければならない。
【００１１】
対応する投映装置を日除けの中に組み込むことは、付加装置としての投映表面と関連する日除けの特に好ましい発展形態として推奨される。現行の先行技術によれば、この投映装置は、主として、投映表面に静止および動画画像を表現し得るプロジェクタである。音の生成システム、投映装置および投映表面を日除けに相応に完全に装備すると、この日除けは、まさにテラスまたはバルコニーにおける回復および寛ぎの時間に好適に使用できる自己充足型の多元媒体システムを実現する。
【００１２】
本発明のさらなる特徴、詳細、および利点は、添付の図面に基づく実施形態に関する以下の記述から明らかになる。
【図面の簡単な説明】
【００１３】
【図１】部分的に開かれた状態の日除けの後面図である。
【図２】図１のＥ部の拡大詳細図である。
【図３】図１のＦ部の拡大詳細図である。
【発明を実施するための形態】
【００１４】
図１から明らかなように、図示の関節アーム式の日除けは、基礎部分として日除けハウジング１を有する。この日除けハウジング１は、建物の外壁のような詳細に図示されていない建物の一部分に、対応するブラケット２、３によって取り付けることができる。
【００１５】
この日除けのさらに別の基礎部分は２つの関節アームの対４、５を備えており、この関節アームの内側の端部が日除けハウジング１に関節連結されている。関節アームの自由端は、日除けのさらに別の基礎部分として降下部６を担持しており、日除けテント幕７の前端部がその降下部６に固定されている。日除けテント幕７は、日除けが引込まれる時、一般的に、日除けハウジング１内のテント幕シャフト８の上に巻き取られる。このテント幕シャフト８は、日除けハウジング１においては破線で示されている。
【００１６】
図示の日除けは多元媒体の日除けとして設計される。このため、全体として符号９で表示される音の生成システムが設けられる。この音生成システム９は、日除けハウジング１内に収納されるドライバ制御器１０と、２つのサウンドアクチュエータ１１、１２とから構成される。図示の実施形態においては、このサウンドアクチュエータ１１、１２は、降下部６の２つの外側の端部１３、１４に機械的に連結される。これは、圧電式の振動発生器であって、音楽または発話のような音響信号を発するように、降下部６の対応する前面１５を所定どおりに振動させる圧電式振動発生器とすることができる。この場合、特に日除けの下の影ができた休息領域において、対応して生成される音および調べを聴き取ることができる。
【００１７】
ドライバ制御器１０は、例えば、アナログの、あるいは特にデジタルの音響制御信号を無線で受信できる無線ＬＡＮの受信部分１６を有する。これらの音響制御信号は、例えば、屋内のＰＣシステムから伝送することができる。これらの信号は、最終段１８が、詳細には図示されていないライン接続を介して、所定のパワー信号をサウンドアクチュエータ１１、１２に発するように最終段１８を作動させるために、プロセッサ部分１７において処理される。
【００１８】
画像投映表面を設けるために、日除けには、降下部６内の付加的な巻き取りシャフト２０の上に巻き取ることおよびそれから解舒することが可能なスクリーン要素１９も設けられる。このスクリーン要素は、それが降下部６から垂直に垂れ下がるように下向きに伸張可能である。
【００１９】
最後に、プロジェクタ２１が、日除けハウジング１の中に投映装置として組み込まれる。このプロジェクタ２１には、例えば、音の生成システム９の無線ＬＡＮ受信部分１６を経由して対応する画像信号を供給できる。これによって、プロジェクタ２１は、スクリーン要素１９の上に対応する画像またはフィルムを投映する。
【符号の説明】
【００２０】
１    日除けハウジング
２    ブラケット
３    ブラケット
４    関節アーム
５    関節アーム
６    降下部
７    日除けテント幕
８    テント幕シャフト
９    音生成システム
１０  ドライバ制御器
１１  サウンドアクチュエータ
１２  サウンドアクチュエータ
１３  降下部の外側端部
１４  降下部の外側端部
１５  降下部の前面
１６  ＷＬＡＮ受信部分
１７  プロセッサ
１８  最終段
１９  スクリーン要素
２０  付加巻き取りシャフト
２１  プロジェクタ
【図１】
2011256701.tif 000003
【図２】
2011256701.tif 000004
【図３】
2011256701.tif 000005
【外国語明細書】
2011256701000001.pdf
2011256701000002.pdf
2011256701000003.pdf
2011256701000004.pdf